(57)【要約】【課題】輻射量を適切に調整することができる輻射パネル構造体および空気調和機を提供する。【解決手段】輻射パネル構造体５ａは、輻射によって室内の温度調整を行う輻射パネル構造体であって、第１部５７ａと、第２部５８ａとを備える。第１部５７ａは、第１色を有する。第２部５８ａは、第１色と異なる色である第２色を有する。【選択図】        図３
2004271057.tif 000002
【特許請求の範囲】
【請求項１】
第１色を有し、輻射によって室内の温度調整を行う第１部（５７ａ−５７ｄ）と、
前記第１色と異なる色である第２色を有し、輻射によって室内の温度調整を行う第２部（５８ａ−５８ｄ）と、
を備える輻射パネル構造体（５ａ−５ｄ）。
【請求項２】
前記第１部（５７ａ−５７ｄ）と前記第２部（５８ａ−５８ｄ）とは同じ材料から成る、
請求項１に記載の輻射パネル構造体（５ａ−５ｄ）。
【請求項３】
前記第１部（５７ａ−５７ｄ）と前記第２部（５８ａ−５８ｄ）とは、繊維系材料によって形成される、
請求項１または２に記載の輻射パネル構造体（５ａ−５ｄ）。
【請求項４】
温度調整された空気を取り入れる空気取入れ部（５１）をさらに備え、
前記第１部（５７ａ−５７ｄ）と前記第２部（５８ａ−５８ｄ）とは、前記空気によって大気圧より大きな圧力が生じる圧力発生空間（ＰＳ）の少なくとも一部を構成する、
請求項３に記載の輻射パネル構造体（５ａ−５ｄ）。
【請求項５】
前記第１色と前記第２色とは、前記室内の部分的な領域ごとに必要とされる輻射量に応じた色となっている、
請求項１から４のいずれかに記載の輻射パネル構造体（５ａ−５ｄ）。
【請求項６】
前記第１色と前記第２色とは所定の視覚的効果のある色彩となっている、
請求項１から５のいずれかに記載の輻射パネル構造体（５ｃ）。
【請求項７】
前記第１色と前記第２色とは、所定の意匠の少なくとも一部を構成する、
請求項１から６に記載の輻射パネル構造体（５ｄ）。
【請求項８】
前記第１色と前記第２色と前記繊維材料の繊維の目とは、所定の意匠の少なくとも一部を構成する、
請求項３または４に記載の輻射パネル構造体（５ｄ）。
【請求項９】
温度調整された空気を取り入れる空気取入れ部（５１）をさらに備え、
前記第１部（５７ａ−５７ｄ）と前記第２部（５８ａ−５８ｄ）とは、前記空気によって大気圧より大きな圧力が生じる圧力発生空間（ＰＳ）の少なくとも一部を構成し、前記空気が吹き出る複数の孔を有し、
前記第１色と前記第２色と複数の前記孔とは、所定の意匠の少なくとも一部を構成する、
請求項１または２に記載の輻射パネル構造体（５ａ−５ｄ）。
【請求項１０】
請求項１から９のいずれかに記載の輻射パネル構造体（５ａ−５ｄ）と、
前記輻射パネル構造体が取り付けられる取付部（２７）と、
を備える空気調和機（１）。
【請求項１１】
前記輻射パネル構造体（５ａ−５ｄ）は、前記取付部（２７）に着脱自在に取り付けられる、
請求項１０に記載の空気調和機（１）。
【発明の詳細な説明】
【０００１】
【発明の属する技術分野】
本発明は、輻射パネル構造体および空気調和機に関する。
【０００２】
【従来の技術】
輻射によって室内の温度調整を行う輻射型空気調和機が従来より知られている。この輻射型空気調和機は、通常、室内空間に面する輻射パネルを備え、輻射パネルの表面から冷熱または温熱を輻射により室内へと放出する。これにより、室内の温度調整が行われる（特許文献１参照）。このような輻射型空気調和機によれば、輻射によって室内の温度調整が行われるため、対流によって温度調整を行う場合よりも、ドラフトによる不快感が低減される。
【０００３】
【特許文献１】
特開平５−２９６５０１号公報
【０００４】
【発明が解決しようとする課題】
一方、より快適な室内環境のためには、輻射量の適切な調整が必要である。例えば、室内の作業環境等によっては、輻射量を多く必要とする部分とそうではない部分とが存在することがある。このような場合には、部分によって輻射量を変えることができれば、より適切な温度調整が可能となる。
【０００５】
本発明の課題は、輻射量を適切に調整することができる輻射パネル構造体および空気調和機を提供することにある。
【０００６】
【課題を解決するための手段】
請求項１に記載の輻射パネル構造体は、輻射によって室内の温度調整を行う輻射パネル構造体であって、第１部と、第２部とを備える。第１部は、第１色を有する。第２部は、第１色と異なる色である第２色を有する。
この輻射パネル構造体では、第１部と第２部とが異なる色を有している。そして、輻射量は輻射面の色の影響を受けるため、色が異なれば輻射量が異なる。このため、この輻射パネル構造体では、異なる色の組合せにより輻射量を調整することができる。これにより、この輻射パネル構造体では、輻射量を適切に調整することができる。
【０００７】
請求項２に記載の輻射パネル構造体は、請求項１に記載の輻射パネル構造体であって、第１部と第２部とは同じ材料から成る。
この輻射パネル構造体では、第１部と第２部とは、同じ材料から成る。このため、同じ材料を用いて色を異なる色とすることによって、容易に色の異なる第１部と第２部とを形成することができる。
【０００８】
請求項３に記載の輻射パネル構造体は、請求項１または２に記載の輻射パネル構造体であって、第１部と第２部とは、繊維系材料によって形成される。
この輻射パネル構造体では、第１部と第２部とは、繊維系材料によって形成される。このため、第１部と第２部とを異なる色とすることが容易である。
請求項４に記載の輻射パネル構造体は、請求項３に記載の輻射パネル構造体であって、空気取入れ部をさらに備える。空気取入れ部は、温度調整された空気を取り入れる。そして、第１部と第２部とは、空気によって大気圧より大きな圧力が生じる圧力発生空間の少なくとも一部を構成する。
【０００９】
この輻射パネル構造体では、圧力発生空間の空気の温度を利用した第１部と第２部とからの輻射によって、室内の温度調整を行うことができる。また、圧力発生空間には温度調整された空気によって大気圧より大きな圧力が生じる。そして、第１部と第２部とは、繊維系材料によって形成される。従って、第１部と第２部との繊維の目の隙間から温度調整された空気が穏やかに室内へ吹き出される。このため、この輻射パネル構造体は、第１部と第２部とから穏やかに吹き出される空気によって、室内の温度調整を行うことができる。
【００１０】
このように、この輻射パネル構造体では、輻射と穏やかな空気の吹出しとによって室内の温度調整を行うことができる。このため、この輻射パネル構造体では、ドラフトによる不快感を低減することができる。
請求項５に記載の輻射パネル構造体は、請求項１から４のいずれかに記載の輻射パネル構造体であって、第１色と第２色とは、室内の部分的な領域ごとに必要とされる輻射量に応じた色となっている。
【００１１】
この輻射パネル構造体では、第１色と第２色とは、室内の部分的な領域ごとに必要とされる輻射量に応じた色となっている。このため、室内の部分的な領域ごとに必要とされる異なる輻射量を第１色と第２色とのそれぞれから放出することができる。これにより、この輻射パネル構造体では、室内の部分的な領域における必要に合わせて、輻射量を適切に調整することができる。
【００１２】
請求項６に記載の輻射パネル構造体は、請求項１から５のいずれかに記載の輻射パネル構造体であって、第１色と第２色とは所定の視覚的効果のある色彩となっている。
この輻射パネル構造体では、第１部と第２部との色により視覚的効果が発揮される。例えば、寒色系の色は見る者に涼しい感覚を与え、暖色系の色は見る者に暖かい感覚を与える。これにより、この輻射パネル構造体では、視覚的効果により、居住者等の快適感を向上させることができる。
【００１３】
請求項７に記載の輻射パネル構造体は、請求項１から６に記載の輻射パネル構造体であって、第１色と第２色とは、所定の意匠の少なくとも一部を構成する。この輻射パネル構造体では、第１輻射パネルと第２輻射パネルとの色によって、所定の意匠の少なくとも一部が表されている。このため、この輻射パネル構造体では、インテリア性を向上させることができる。
【００１４】
請求項８に記載の輻射パネル構造体は、請求項３または４に記載の輻射パネル構造体であって、第１色と第２色と繊維材料の繊維の目とは、所定の意匠の少なくとも一部を構成する。
この輻射パネル構造体では、第１部と第２部との色と、繊維の目とによって所定の意匠の少なくとも一部が表されている。このため、この輻射パネル構造体では、第１部および第２部の色と繊維の質感とによってインテリア性をより向上させることができる。
【００１５】
請求項９に記載の輻射パネル構造体は、請求項１または２に記載の輻射パネル構造体であって、温度調整された空気を取り入れる空気取入れ部をさらに備える。そして、第１部と前記第２部とは、空気によって大気圧より大きな圧力が生じる圧力発生空間の少なくとも一部を構成し、空気が吹き出る複数の孔を有する。また、第１色と第２色と複数の孔とは、所定の意匠の少なくとも一部を構成する。
【００１６】
この輻射パネル構造体では、圧力発生空間の空気の温度を利用した第１部と第２部とからの輻射によって、室内の温度調整を行うことができる。また、圧力発生空間には温度調整された空気によって大気圧より大きな圧力が生じる。そして、第１部と第２部とは、複数の孔を有する。従って、第１部と第２部とに設けられた孔から温度調整された空気が穏やかに室内へ吹き出される。このため、この輻射パネル構造体は、第１部と第２部とから穏やかに吹き出される空気によって、室内の温度調整を行うことができる。このように、この輻射パネル構造体では、輻射と穏やかな空気の吹出しとによって室内の温度調整を行うことができる。このため、この輻射パネル構造体では、ドラフトによる不快感を低減することができる。
【００１７】
また、この輻射パネル構造体では、第１部と第２部との色と、複数の孔とによって所定の意匠の少なくとも一部が表されている。このため、この輻射パネル構造体では、第１部および第２部の色と複数の孔とによってインテリア性をより向上させることができる。
請求項１０に記載の空気調和機は、請求項１から９のいずれかに記載の輻射パネル構造体と、取付部とを備える。取付部には、輻射パネル構造体が取り付けられる。
【００１８】
この空気調和機では、第１部と第２部とが異なる色を有している輻射パネル構造体が備えられている。このため、この空気調和機では、異なる色の組合せにより輻射量を調整することができる。これにより、この空気調和機では、輻射量を適切に調整することができる。
請求項１１に記載の空気調和機は、請求項１０に記載の空気調和機であって、輻射パネル構造体は、取付部に着脱自在に取り付けられる。
【００１９】
この空気調和機では、輻射パネル構造体を自在に着脱することができる。このため、季節や用途に応じて、第１部と第２部との色や配置が異なる輻射パネル構造体に取り換えることができる。これにより、この空気調和機では、輻射量をより適切に調整することができる。
【００２０】
【発明の実施の形態】
＜第１実施形態＞
［全体構成］
本発明の第１実施形態にかかる空気調和機１を図１に示す。この空気調和機１は、室内機２と室外機３とを備えており、輻射と、温度調整された空気の吹き出しとによって冷暖房等の室内の空気調和を行うことができる。なお、図１では、理解の容易のため、空気調和機１の一部が断面図として示されている。
【００２１】
室外機３は、室外に配置され、圧縮機３１、四路切換弁３２、電動弁３３、室外ファン（図示せず）、室外ファンモータ３４、室外機温度センサ３５（以上、図５参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２２】
室内機２は、室内の天井面近傍や側壁等の配置され、室内機ケーシング２１、室内熱交換器２２、室内ファン２３、室内ファンモータ２４（図５参照）、室内機温度センサ２５（図５参照）、輻射パネル構造体５ａなどを備えている。
室内機ケーシング２１は、室内熱交換器２２や室内ファン２３等を内部に収納しており、吸込み口２６と接続口２７とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に接続される。
【００２３】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００２４】
室内機温度センサ２５には、室内熱交換器の温度や室内空気の温度等を検出する各種の温度センサが含まれる。
輻射パネル構造体５ａは、天井面の近傍に配置され、温度調整された空気の温度を利用した輻射と、温度調整された空気の吹出しとによって冷暖房等の空気調和を行う。輻射パネル構造体５ａの構成については、後に詳細に説明する。
【００２５】
また、空気調和機１は、制御部６を備えている。制御部６は、室外機３と室内機２とに分かれて配置されており、空気調和機１の運転制御を行う。制御部６は、図５に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００２６】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井面の近傍に天井面に平行に配置される。このため、輻射パネル構造体５ａは、下方の居住空間に対して他の方向よりも大きな投影面積を有している。輻射パネル構造体５ａは、空気取入れ口５１、輻射部５２ａおよび複数の形状保持部材５３ａ等を備えている。
【００２７】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。
輻射部５２ａは、第１輻射面５４ａ、第２輻射面５５ａおよび３つの側面５６からなり、空気によって大気圧より大きな圧力が生じる圧力発生空間ＰＳを内部に構成する。
【００２８】
第１輻射面５４ａは、四角形の薄いシート状の形状を有しており、圧力発生空間ＰＳの下方を閉じる。第１輻射面５４ａは、室内の居住空間に面する位置に天井面と平行に配置されている。また、第１輻射面５４ａは、約０．９の輻射率を有する織布によって形成されており、図３に示すように、第１部５７ａと第２部５８ａとに分かれている。第１部５７ａと第２部５８ａとは、その境界線が圧力発生空間ＰＳの空気の流れ方向（白抜き矢印Ａ１参照）に平行になるように配置されており、互いに異なる色を有している。このため、第１輻射面５４ａは、同一面内で２つの色を有している。また、第１部５７ａと第２部５８ａとは、それぞれ第１輻射面５４ａの約半分の面積を有している。第１部５７ａは、比較的輻射率の高い第１色を有しており、第２部５８ａは、第１色と異なる色であり比較的輻射率の低い第２色を有している。この第１色と第２色とは、室内の部分的な領域ごとに必要とされる輻射量に応じた色となっている。すなわち、第１部５７ａの下方の居住空間では比較的高い輻射量が必要とされており、第２部５８ａの下方の居住空間では比較的低い輻射量が必要とされている。このため、第１輻射面５４ａからの輻射によって暖房が行われると、第１部５７ａの下方に位置する居住空間の温度は比較的高くなり、第２部５８ａの下方に位置する居住空間の温度は比較的低くなる。なお、第１部５７ａと第２部５８ａとは、上述したように約０．９の輻射率を有する同じ織布によって形成されている。
【００２９】
図２に戻り、第２輻射面５５ａは、第１輻射面５４ａと同一の形状であり、圧力発生空間ＰＳの上方を閉じる。第２輻射面５５ａは、第１輻射面５４ａと対向しており、天井面に面する位置に配置されている。すなわち、第２輻射面５５ａは、第１輻射面５４ａと天井面との間に配置されている。また、第２輻射面５５ａは、第１輻射面５４ａと同じ織布で形成されている。
【００３０】
３つの側面５６は、細長い長方形の形状を有しており、空気取入れ口５１を除く圧力発生空間ＰＳの側方を閉じる。３つの側面５６は、第１輻射面５４ａの３つの辺と第２輻射面５５ａの３つの辺とをそれぞれ繋いでいる。また、３つの側面５６は、第１輻射面５４ａおよび第２輻射面５５ａと同じ織布で形成されている。
【００３１】
このように、輻射パネル構造体５ａは、空気取入れ口５１以外が閉じられた袋状の形状を有している。
複数の形状保持部材５３ａは、間隔を隔てて配置される糸状の部材である。複数の形状保持部材５３ａは、それぞれ同じ長さを有しており、一端が第１輻射面５４ａに固定され他端が第２輻射面５５ａに固定される。複数の形状保持部材５３ａは、第１輻射面５４ａと第２輻射面５５ａの各平面上に略均一に配置されている。形状保持部材５３ａは、圧力発生空間ＰＳに大気圧より大きな圧力が生じた場合に、第１輻射面５４ａと第２輻射面５５ａとを平坦な形状に保持し、輻射部５２ａを板状の形状に保持する。なお、図２では、形状保持部材５３ａの一つにのみ符号を付して他の形状保持部材５３ａについては符号を省略している。
【００３２】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００３３】
この冷却された空気は、図４に示すように、接続口２７および空気取入れ口５１を通って、輻射部５２ａ内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ２参照）に対して垂直な方向に大気圧より大きな圧力が生じる。このため、冷却された空気が、輻射部５２ａの織布の繊維の隙間から押し出される。このため、冷却された空気が、第１輻射面５４ａや第２輻射面５５ａから室内へと穏やかに吹き出される（実線矢印Ａ３参照）。
【００３４】
また、輻射部５２ａが冷却された空気と接触することによって、輻射部５２ａが冷却される。このため、輻射部５２ａによる冷輻射が生じる（破線矢印Ａ４参照）。このとき、第１部５７ａでは第２部５８ａよりも輻射率が高いため、第１部５７ａでは、第２部５８ａよりも強い冷輻射が生じる（図３参照）。このため、第１部５７ａの下方の空間では、第２部５８ａの下方の空間よりも強い冷房が行われる。逆に、第２部５８ａの下方の空間では、第１部５７ａよりも弱い冷房が行われる。
【００３５】
このように、この空気調和機１では、輻射部５２ａの繊維の隙間からの穏やかな吹き出しと、輻射部５２ａの冷輻射とによって、室内の冷房が行われる。
暖房運転時には、室内熱交換器２２が凝縮器として機能して、通過する空気を加熱する。加熱された空気は、冷房運転時と同様に、輻射部５２ａ内の圧力発生空間ＰＳへと送られる。そして、加熱された空気が、織布の繊維の隙間から押し出され、室内へと穏やかに吹き出される。
【００３６】
また、輻射部５２ａが加熱された空気と接触することによって、輻射部５２ａが加熱される。そして、輻射部５２ａによる熱輻射が生じる。このとき、第１部５７ａでは第２部５８ａよりも輻射率が高いため、第１部５７ａでは、第２部５８ａよりも強い熱輻射が生じる。このため、第１部５７ａの下方の空間では、第２部５８ａの下方の空間よりも強い暖房が行われる。逆に、第２部５８ａの下方の空間では、第１部５７ａよりも弱い暖房が行われる。
【００３７】
このように、この空気調和機１では、輻射部５２ａの繊維の隙間からの穏やかな吹出しと、輻射部５２ａの熱輻射とによって、室内の暖房が行われる。
［特徴］
（１）
この輻射パネル構造体５ａでは、第１部５７ａと第２部５８ａとが異なる色を有している。そして、輻射量は、輻射面の色の影響を受ける。このため、この輻射パネル構造体では、２つの異なる色の組合せにより輻射量を調整することができる。つまり、室内の居住空間のうち、冷房または暖房を少し強めに行う必要がある部分の上方に第１部５７ａが位置するようにするとよい。また、冷房または暖房を少し弱めに行う必要がある部分の上方に第２部５８ａが位置するようにすればよい。第１部５７ａからは少し強め輻射が行われ、第２部５８ａからは少し弱めの輻射が行われる。これにより、この輻射パネル構造体５ａでは、室内の使用状況等に応じて、輻射量を適切に調整することができる。
【００３８】
（２）
この輻射パネル構造体５ａでは、第１部５７ａと第２部５８ａとは、同じ織布から形成されている。このため、織布の色を部分ごとに異なる色とすることによって、容易に第１部５７ａと第２部５８ａとを形成することができる。このため、異なる２つの色を有する第１輻射面５４ａを容易に形成することができる。
【００３９】
（３）
この輻射パネル構造体５ａでは、圧力発生空間ＰＳの空気の温度を利用した輻射部５２ａからの輻射によって、室内の温度調整を行うことができる。また、圧力発生空間ＰＳには温度調整された空気によって大気圧より大きな圧力が生じる。そして、輻射部５２ａは、繊維系材料によって形成される。従って、輻射部５２ａの繊維の目の隙間から温度調整された空気が穏やかに室内へ吹き出される。このため、この輻射パネル構造体５ａは、輻射部５２ａから穏やかに吹き出される空気によって、室内の温度調整を行うことができる。
【００４０】
このように、この輻射パネル構造体５ａでは、輻射と穏やかな空気の吹出しとによって室内の温度調整を行うことができる。このため、この輻射パネル構造体５ａでは、ドラフトによる不快感を低減することができる。
（４）
この空気調和機１では、輻射パネル構造体５ａを自在に着脱することができる。このため、季節、用途、場所に応じて、第１部５７ａと第２部５８ａとの色や配置が異なる輻射パネル構造体５ａに取り換えることができる。これにより、この空気調和機１では、輻射量をより適切に調整することができる。
【００４１】
また、この空気調和機１では、輻射パネル構造体５ａを室内機ケーシング２１から取り外すことや、再び取り付けることが容易である。従って、輻射パネル構造体５ａの取付工事やメンテナンスが容易である。
また、輻射部５２ａは織布で形成されているため、洗浄することが容易である。このため、輻射部５２ａに汚れが付着した場合などに、輻射パネル構造体５ａを取り外して洗浄することができる。
【００４２】
（５）
輻射によって空気調和を行う従来の空気調和機では、輻射率の高い金属製の輻射パネルが用いられることが多い。
この空気調和機１では、輻射部５２ａが織布によって形成されているが、この織布は約０．９の輻射率を有する。このため、織布であっても輻射による室内の冷暖房を十分効果的に行うことができる。
【００４３】
また、織布の繊維の隙間から吹き出る空気によって、第１輻射面５４ａの外側まで、輻射部５２ａの内部の温度と同じ温度となっている。このため、輻射による室内の冷暖房を効率的に行うことができる。
＜第２実施形態＞
［構成］
本発明の第２実施形態にかかる輻射パネル構造体５ｂを図６に示す。
【００４４】
この輻射パネル構造体５ｂでは、第１実施形態にかかる輻射パネル構造体５ａと同様に、第１輻射面５４ｂは、第１部５７ｂと第２部５８ｂとを有している。第１部５７ｂは、第１色を有しており、第２部５８ｂは第２色を有している。第１色と第２色とは異なる色であり、第１色は、第２色よりも輻射率の高い色である。第１部５７ｂは、第１輻射面５４ｂの縁部に沿って分布しており、輻射部５２ｂの先端近傍に位置する部分の面積が比較的大きい。第２部５８ｂは、第１輻射面５４ａの空気取入れ口５１に近接する位置から第１輻射面５４ｂの中央付近にかけて分布している。
【００４５】
他の構成については、第１実施形態にかかる空気調和機１と同様である。
［特徴］
この輻射パネル構造体５ｂでは、第１部５７ｂは、第１輻射面５４ｂの縁部に沿って分布している。このため、第１部５７ｂは、輻射パネル構造体５ｂが天井近傍に配置された状態では、室内の側壁近傍の上方に位置する。そして、第１部５７ｂによる輻射率は第２部５８ｂによる輻射率よりも高い。従って、第１部５７ｂからの輻射によって、室内の側壁近傍に対して冷房または暖房が少し強めに行われる。また、第２部５８ｂは、第１輻射面５４ｂの空気取入れ口に近接する位置から第１輻射面５４ｂの中央付近にかけて分布している。このため、第２部５８ｂは、室内の中央部分近傍の上方に位置することになる。従って、第２部５８ｂからの輻射によって、室内の中央付近近傍に対して、冷房または暖房が少し弱めに行われる。
【００４６】
このように、この輻射パネル構造体５ｂでは、室内の側壁近傍に対しては強い冷房または暖房が行われ、室内の中央部分に対しては弱い冷房または暖房が行われる。これにより、室内の中央付近に居住者等が存在することが多いような室内の使用状況においては、居住者等に対して過度に冷房または暖房が行われることを防止することができる。また、側壁に対して強めに冷房または暖房が行われるため、室内の温度調整が効率的に行われる。
【００４７】
なお、この空気調和機１では、輻射パネル構造体５ｂは着脱自在であるため、第１実施形態にかかる輻射パネル構造体５ａと本実施形態にかかる輻射パネル構造体５ｂとが必要に応じて取り替えられてもよい。これにより、室内の使用状況、季節等に応じたより適切な温度調整を行うことができる。
＜第３実施形態＞
［構成］
本発明の第３実施形態にかかる輻射パネル構造体５ｃを図７に示す。輻射パネル構造体５ｃでは、輻射部５２ｃの第１輻射面５４ｃは、青色等の寒色系の色を有している。また、第１輻射面５４ｃの第１部５７ｃと第２部５８ｃとは、異なる色である第１色と第２色とをそれぞれ有している。この第１色と第２色とは共に寒色系の色である。
【００４８】
他の構成については、第１実施形態にかかる空気調和機１と同様である。
［特徴］
この輻射パネル構造体５ｃでは、第１部５７ｃと第２部５８ｃとの色により視覚的効果が発揮される。すなわち、第１部５７ｃと第２部５８ｃとが寒色系の色を有することにより、居住者等は、視覚的に涼しい印象を与えられる。従って、この輻射パネル構造体５ｃでは、視覚的効果により、居住者等の冷熱感を増進させることができる。これにより、居住者等の快適感をより向上させることができる。
【００４９】
なお、第１色と第２色とが共に暖色系の色であってもよい。この場合、居住者等が視覚的に暖かい印象を与えられることにより、居住者等の温熱感を増進させることができる。これにより、居住者等の快適感をより向上させることができる。
また、第１部５７ｃと第２部５８ｃの色だけではなく、織布の素材や織布に付加される材料との組合わせによって、所定の視覚的効果が表されてもよい。
【００５０】
＜第４実施形態＞
［構成］
本発明の第４実施形態にかかる輻射パネル構造体５ｄを図７に示す。この輻射パネル構造体５ｄでは、輻射部５２ｄの第１輻射面５４ｄに意匠が表されている。この意匠は、第１部５７ｄと第２部５８ｄとによって構成されている。第１部５７ｄは人形の形状を構成しており、第２部５８ｄは背景を構成している。第１部５７ｄの第１色と第２部５８ｄの第２色とは、異なる色であり、第１色の輻射率は第２色よりも高い。
【００５１】
他の構成については、第１実施形態にかかる空気調和機１と同様である。
［特徴］
（１）
この輻射パネル構造体５ｄでは、第１部５７ｄと第２部５８ｄとの色によって、所定の意匠が表されている。このため、この輻射パネル構造体５ｄでは、インテリア性が向上している。
【００５２】
さらに、この輻射パネル構造体５ｄでは、色の違いによる輻射率の違いを利用して、室内の使用状況等に応じた適切な温度調整を行うこともできる。
（２）
この輻射パネル構造体５ｄでは、第１輻射面５４ｄは織布で構成されている。このため、第１輻射面５４ｄに異なる色を付することによって所定の意匠を容易に表すことができる。また、居住者等の好みの意匠を表すことや意匠を書き換えも可能である。
【００５３】
（３）
この輻射パネル構造体５ｄは着脱が自在であるため、異なる意匠が表された輻射パネル構造体に取り替えることが容易である。これにより、意匠の変更が容易である。
（４）
第１部５７ｄと第２部５８ｄの色だけではなく、織布の目の粗さ、第１輻射面５４ｄの角度、輻射部５２ｄの形状や、これらの組合せにより、意匠が表されてもよい。
【００５４】
また、上記の人形のような絵ではなく幾何学的模様が第１輻射面５４ｄに表されてもよい。
＜他の実施形態＞
（１）
上記の実施形態では、第１色と第２色との２つの色が利用されているが、３色以上の色が利用されてもよい。
【００５５】
（２）
上記の実施形態では、第１部５７ａと第２部５８ａとは同じ織布で形成されているが、第１部５７ａと第２部５８ａとが異なる材料によって形成されてもよい。
（３）
上記の実施形態では、第１輻射面５４ａは、柔軟性を有する繊維系材料によって形成されているが、金属材料など剛性を有する材料で形成されてもよい。この場合、第１輻射面５４ａに複数の孔を設けることにより、上記と同様の効果を奏することができる。また、この複数の孔の配置や大きさ等と第１色と第２色とによって、意匠が表されてもよい。
【００５６】
また、上記の実施形態では、輻射部５２ａの材料として織布が使用されているが、織布以外の繊維系材料が使用されてもよい。
（４）
上記の実施形態では、輻射部５２ａ全体が織布で形成されているが、第１輻射面５４ａのみが織布で形成され、他の部分は他の材料によって形成されてもよい。また、上記の実施形態では、輻射部５２ａ全体から空気の吹出しが行われているが、第１輻射面５４ａのみから空気の吹出しが行われてもよい。
【００５７】
（５）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００５８】
（６）
上記の実施形態では、天井面近傍に輻射パネル構造体５ａが配置されているが、輻射パネル構造体５ａが室内の側壁近傍に沿うように配置されてもよい。
（７）
上記の実施形態では、室内機ケーシング２１の接続口２７に輻射パネル構造体５ａが接続されているが、空気が吹き出るダクト出口が室内の側壁や天井面等に直接に設けられている場合には、輻射パネル構造体ａがダクト出口に接続されてもよい。
【００５９】
また、輻射パネル構造体ａを既存の対流型空気調和機に取り付け可能としてもよい。これにより、既存の対流型空気調和機を有効利用して空気調和機１と同等の機能を持つ空気調和機を構成することができる。
【００６０】
【発明の効果】
請求項１に記載の輻射パネル構造体では、第１部と第２部とが異なる色を有している。そして、輻射量は輻射面の色の影響を受けるため、色が異なれば輻射量が異なる。このため、この輻射パネル構造体では、異なる色の組合せにより輻射量を調整することができる。これにより、この輻射パネル構造体では、輻射量を適切に調整することができる。
【００６１】
請求項２に記載の輻射パネル構造体では、第１部と第２部とは、同じ材料から成る。このため、同じ材料を用いて色を異なる色とすることによって、容易に色の異なる第１部と第２部とを形成することができる。
請求項３に記載の輻射パネル構造体では、第１部と第２部とは、繊維系材料によって形成される。このため、第１部と第２部とを異なる色とすることが容易である。
【００６２】
請求項４に記載の輻射パネル構造体では、圧力発生空間の空気の温度を利用した第１部と第２部とからの輻射によって、室内の温度調整を行うことができる。また、圧力発生空間には温度調整された空気によって大気圧より大きな圧力が生じる。そして、第１部と第２部とは、繊維系材料によって形成される。従って、第１部と第２部との繊維の目の隙間から温度調整された空気が穏やかに室内へ吹き出される。このため、この輻射パネル構造体は、第１部と第２部とから穏やかに吹き出される空気によって、室内の温度調整を行うことができる。
【００６３】
このように、この輻射パネル構造体では、輻射と穏やかな空気の吹出しとによって室内の温度調整を行うことができる。このため、この輻射パネル構造体では、ドラフトによる不快感を低減することができる。
請求項５に記載の輻射パネル構造体では、第１色と第２色とは、室内の部分的な領域ごとに必要とされる輻射量に応じた色となっている。このため、室内の部分的な領域ごとに必要とされる異なる輻射量を第１色と第２色とのそれぞれから放出することができる。これにより、この輻射パネル構造体では、室内の部分的な領域における必要に合わせて、輻射量を適切に調整することができる。
【００６４】
請求項６に記載の輻射パネル構造体では、第１部と第２部との色により視覚的効果が発揮される。例えば、寒色系の色は見る者に涼しい感覚を与え、暖色系の色は見る者に暖かい感覚を与える。これにより、この輻射パネル構造体では、視覚的効果により、居住者等の快適感を向上させることができる。
請求項７に記載の輻射パネル構造体では、第１輻射パネルと第２輻射パネルとの色によって、所定の意匠の少なくとも一部が表されている。このため、この輻射パネル構造体では、インテリア性を向上させることができる。
【００６５】
請求項８に記載の輻射パネル構造体では、第１部と第２部との色と、繊維の目とによって所定の意匠の少なくとも一部が表されている。このため、この輻射パネル構造体では、第１部および第２部の色と繊維の質感とによってインテリア性をより向上させることができる。
請求項９に記載の輻射パネル構造体では、圧力発生空間の空気の温度を利用した第１部と第２部とからの輻射によって、室内の温度調整を行うことができる。また、圧力発生空間には温度調整された空気によって大気圧より大きな圧力が生じる。そして、第１部と第２部とは、複数の孔を有する。従って、第１部と第２部とに設けられた孔から温度調整された空気が穏やかに室内へ吹き出される。このため、この輻射パネル構造体は、第１部と第２部とから穏やかに吹き出される空気によって、室内の温度調整を行うことができる。このように、この輻射パネル構造体では、輻射と穏やかな空気の吹出しとによって室内の温度調整を行うことができる。このため、この輻射パネル構造体では、ドラフトによる不快感を低減することができる。
【００６６】
また、この輻射パネル構造体では、第１部と第２部との色と複数の孔とによって所定の意匠の少なくとも一部が表されている。このため、この輻射パネル構造体では、第１部および第２部の色と複数の孔とによってインテリア性をより向上させることができる。
請求項１０に記載の空気調和機では、第１部と第２部とが異なる色を有している輻射パネル構造体が備えられている。このため、この空気調和機では、異なる色の組合せにより輻射量を調整することができる。これにより、この空気調和機では、輻射量を適切に調整することができる。
【００６７】
請求項１１に記載の空気調和機では、輻射パネル構造体を自在に着脱することができる。このため、季節や用途に応じて、第１部と第２部との色や配置が異なる輻射パネル構造体に取り換えることができる。これにより、この空気調和機では、輻射量をより適切に調整することができる。
【図面の簡単な説明】
【図１】第１実施形態にかかる空気調和機の図。
【図２】第１実施形態にかかる輻射パネル構造体の外観図。
【図３】第１実施形態にかかる輻射パネル構造体の第１輻射面の図。
【図４】第１実施形態にかかる空気調和機における空気の吹出しと輻射とを表す図。
【図５】第１実施形態にかかる空気調和機の制御ブロック図。
【図６】第２実施形態にかかる輻射パネル構造体の第１輻射面の図。
【図７】第３実施形態にかかる輻射パネル構造体の第１輻射面の図。
【図８】第４実施形態にかかる輻射パネル構造体の第１輻射面の図。
【符号の説明】
１                  空気調和機
５ａ−５ｄ          輻射パネル構造体
２７                接続口（取付部）
５１                空気取入れ口（空気取入れ部）
５７ａ−５７ｄ      第１部
５８ａ−５８ｄ      第２部
ＰＳ                圧力発生空間
【図１】
2004271057.tif 000003
【図２】
2004271057.tif 000004
【図３】
2004271057.tif 000005
【図４】
2004271057.tif 000006
【図５】
2004271057.tif 000007
【図６】
2004271057.tif 000008
【図７】
2004271057.tif 000009
【図８】
2004271057.tif 000010